(57)【要約】【課題】連続ガラス体から切断されるすべてのガラス塊を対応する予備成形型へ装入する時、すべてのガラス塊に対して同じ条件を設定する。【解決手段】各せん断刃対の各せん断刃６，７が、せん断刃６，７を初期位置から動作位置へ動かしまた初期位置へ戻すための別々の操作器８，９を持ち、せん断刃６，７の操作器８，９用の制御装置が設けられ、この制御装置により、せん断刃対のせん断刃６，７は同時に可動であるが、せん断刃対は異なる時点に可動であり、分離されたガラス塊２１が予備成形型まで最長の行程を通過するせん断刃対が、最初に操作され、切断されたガラス塊２１が予備成形型まで最短の行程を通過するせん断刃対が、最後に操作され、従って分離されたすべてのガラス塊２１がほぼ同時に対応する予備成形型へ装入可能である。【選択図】図１
2008050257.tif 000002
【特許請求の範囲】
【請求項１】
ガラス物品を成形する装置であって、
溶融ガラスを貯蔵しかつ溶融ガラスの複数のガラス連続体を放出する供給装置（１９）、
ガラス連続体（１８）がそれぞれせん断刃（６，７）の間を通る初期位置から各ガラス連続体（１８）がガラス塊（２１）を形成しながら切断される動作位置へまた初期位置へ戻るように可動なせん断刃（６，７）を持つ複数のせん断刃対、
分離されたガラス塊（２１）を装入されかつ場合によっては素材となるように成形するため間隔をおいて並んだ複数の素材型を持つ予備成形型、及び
素材を受入れかつこれらの素材をガラス物品となるように更に加工する成形装置から成り、
ガラス塊（２１）が切断及び個別化から予備成形型の素材型まで通過する運搬行程が異なる長さに設定されている
ものにおいて、
各せん断刃対の各せん断刃（６，７）が、せん断刃（６，７）を初期位置から動作位置へ動かしまた初期位置へ戻すための別々の操作器（８，９）を持ち、
せん断刃（６，７）の操作器（８，９）用の制御装置が設けられ、この制御装置により、せん断刃対のせん断刃（６，７）は同時に可動であるが、せん断刃対は異なる時点に可動であり、
分離されたガラス塊（２１）が予備成形型まで最長の行程を通過するせん断刃対が、最初に操作され、切断されたガラス塊（２１）が予備成形型まで最短の行程を通過するせん断刃対が、最後に操作され、
従って分離されたすべてのガラス塊（２１）がほぼ同時に対応する予備成形型へ装入可能である
ことを特徴とする装置。
【請求項２】
各ガラス塊（２１）が分離から予備成形型への装入までに必要とする時間が、制御装置に定数として記憶され、制御装置が適当な時間遅れでせん断刃対の操作器（８，９）を始動することを特徴とする、請求項１に記載の装置。
【請求項３】
ガラス連続体（１８）が重力の方向即ちＺ方向に供給装置（１９）から流出し、せん断刃対のせん断刃（６，７）の運動が、Ｚ方向（２３）に対して直角にＸ方向（２４）に行われるものにおいて、Ｘ方向（２４）におけるせん断刃（６，７）の運動にＺ方向（２３）の運動が重畳され、従ってせん断刃（６，７）が、少なくともガラス連続体（１８）を切断してガラス塊（２１）を形成する行程又は時間にわたって、出発位置からガラス連続体（１８）に同期して同じ方向に終了位置へ動かされまた出発位置へ戻されることを特徴とする、請求項１又は２に記載の装置。
【請求項４】
せん断刃対の各せん断刃（６，７）が第１の操作器（８，９）及び第２の操作器（５）に連結され、第１の操作器（８，９）によりせん断刃（６，７）がＸ方向に可動であり、第２の操作器（５）により第１の操作器（８，９）がせん断刃（６，７）と共にＺ方向（２３）に可動であることを特徴とする、請求項３に記載の装置。
【請求項５】
分離サイクルの始めにまず各せん断刃（６，７）のＺ方向（２３）の運動又は第２の操作器（５）の始動が行われ、続いてＸ方向（２４）における各せん断刃（６，７）の運動又は第１の操作器（８，９）の始動が行われ、分離切断の行われた後、せん断刃（６，７）がＸ方向（２４）に初期位置へ戻りまたＺ方向（２３）に開始位置へ可動であるように、せん断刃対の各せん断刃（６，７）が動かされるか、又は操作器（５，８，９）が制御されることを特徴とする、請求項３又は４に記載の装置。
【請求項６】
第１の操作器（８，９）及び第２の操作器（５）がそれぞれ直線操作器として構成されていることを特徴とする、請求項３〜５の１つに記載の装置。
【請求項７】
すべてのせん断刃対のそれぞれ第１のせん断刃（６）が、Ｘ方向に可動な操作器（８）と共に、第１の架台部分（１０）に保持され、すべてのせん断刃対のそれぞれ第２のせん断刃（７）が、Ｘ方向に可動な操作器（９）と共に、第２の架台部分（１１）に保持され、第１及び第２の架台部分（１０，１１）が、架台に固定的に支持される第２の操作器（５）によりＺ方向（２３）に可動な昇降板（４）に結合されていることを特徴とする、請求項３〜６の１つに記載の装置。
【請求項８】
ガラス物品の成形方法であって、溶融ガラスが、互いに平行な複数のガラス連続体で、供給装置から重力に対して平行に向く第１の方向即ちＺ方向に放出され、各ガラス連続体からそれぞれせん断刃対によりガラス塊が分離され、各せん断刃がＺ方向に対して直角に即ちＸ方向に動かされ、ガラス連続体の分離されたガラス塊が、異なる長さの行程でそれぞれ対応する予備成形型へ供給されるものにおいて、ガラス連続体のガラス塊が、異なる長さの行程に相当して、異なる時点にガラス連続体から分離され、従ってこれらのガラス塊が、ほぼ同時に予備成形型に到達し、これらの成形型に装入されることを特徴とする、方法。
【請求項９】
各せん断刃対が別々に駆動され、各ガラス塊が分離から予備成形型への装入までに必要とする時間に応じて、操作器が制御されて、すべてのガラス塊が同時に予備成形型へ装入されるようにしていることを特徴とする、請求項８に記載の方法。
【請求項１０】
Ｘ方向（２４）におけるせん断刃（６，７）の運動にＺ方向（２３）の運動が重畳され、従ってガラス塊（２１）を製造するためガラス連続体（１８）の分離過程中に、せん断刃（６，７）が流出するガラス連続体（１８）に同期して同じ向きに動かされ、ガラス塊（２１）の分離後にせん断刃（６，７）が、Ｘ方向（２４）とは逆に動作位置から初期位置へ動かされ、同時にＺ方向（２３）とは逆に終了位置から出発位置へ戻されることを特徴とする、請求項８又は９に記載の方法。
【請求項１１】
ガラス連続体（１８）が、供給装置（１９）から一定の速度で連続的に放出されることを特徴とする、請求項８〜１０の１つに記載の方法。
【請求項１２】
分離サイクルの始めに、せん断刃（６，７）がまず開始位置からＺ方向（２３）に動かされ、かつガラス連続体（１８）に同期して動かされ、続いて重畳されて初めて初期位置からＸ方向（２４）に動作位置へ動かされ、それからガラス塊（２１）を製造する分離切断が行われ、その際せん断刃（６，７）がまずＸ方向（２４）とは逆に動作位置から初期位置の方向へ動かされ、続いてＺ方向（２３）とは逆に終了位置から開始位置へ戻されることを特徴とする、請求項１０又は１１に記載の方法。
【請求項１３】
各せん断刃対のせん断刃（６，７）の運動が、Ｘ方向（２４）及びＺ方向（２３）にそれぞれ同期して行われることを特徴とする、請求項１０〜１２の１つに記載の方法。
【請求項１４】
各せん断刃（６，７）が別々にＸ方向（２４）に動かされることを特徴とする、請求項８〜１３の１つに記載の方法。
【請求項１５】
すべてのせん断刃（６，７）が一緒にＺ方向（２３）に動かされることを特徴とする、請求項１０〜１４の１つに記載の方法。
【発明の詳細な説明】
【技術分野】
【０００１】  本発明は、ガラス物品を成形する装置であって、溶融ガラスを貯蔵しかつ溶融ガラスの複数のガラス連続体を放出する供給装置、ガラス連続体がそれぞれせん断刃の間を通る初期位置から各ガラス連続体がガラス塊を形成しながら切断される動作位置へまた初期位置へ戻るように可動なせん断刃を持つ複数のせん断刃対、分離されたガラス塊を装入されかつ場合によっては素材となるように成形するため間隔をおいて並んだ複数の素材型を持つ予備成形型、及び素材を受入れかつこれらの素材をガラス物品となるように更に加工する成形装置から成り、ガラス塊が切断及び個別化から予備成形型の素材型まで通過する運搬行程が異なる長さに設定されているものに関する。【０００２】  更に本発明は、ガラス物品の成形方法であって、溶融ガラスが、互いに平行な複数のガラス連続体で、供給装置から重力に対して平行に向く第１の方向即ちＺ方向に放出され、各ガラス連続体からそれぞれせん断刃対によりガラス塊が分離され、各せん断刃がＺ方向に対して直角に即ちＸ方向に動かされ、ガラス連続体の分離されたガラス塊が、異なる長さの行程でそれぞれ対応する予備成形型へ供給されるものに関する。
【背景技術】
【０００３】  従来技術において、溶融ガラスから成る１つ又は複数の連続体からガラス塊を分離する種々の装置が公知である。例えば欧州特許第０７１９２４０号明細書から公知の装置では、複数のせん断刃対が揺動可能に支持される鋏腕に設けられ、これらの鋏腕が初期位置から動作位置へ揺動可能であり、その運動面はＸ方向である。溶融ガラスは、せん断刃対より上にある１つ又は複数の供給装置から放出されるので、複数の溶融ガラス連続体が垂直方向従ってＺ方向に放出される。その際駆動は、複数のせん断刃を保持する各鋏腕が別々の駆動装置により揺動駆動であるように行われる。【０００４】  欧州特許第０７１２８１２号明細書から公知の装置では、せん断刃対のせん断刃が水平に直線運動可能である。この場合も複数のガラス連続体は、開かれたせん断刃対の間で垂直にＺ方向に流れ、せん断刃の直線運動により切断される。【０００５】  この場合右及び左のせん断刃はそれぞれ別個の支持体上に設けられている。各支持体は電気リニアモータにより駆動可能なので、すべてのせん断刃は一緒に分離位置及び初期位置へ動かされる。【０００６】  この種の公知の装置では、せん断刃が閉鎖位置へ動かされる時、ガラス連続体がせん断刃に乗り上げて、押しつぶされるという、効果が現れる。これにより滴下が妨げられるので、ガラス連続体から分離されるガラス塊が変形している。この効果はガラス塊の次の加工にとって不利である。この理由から、図２に示すように、補助装置を設けることが公知である。【０００７】  図２において、供給装置１’へ回転管２’を介して溶融ガラスが流入する。溶融ガラスのレベルは３’で示されている。供給装置１’から下へ、溶融ガラスから成るガラス連続体４’が流出する。せん断刃５’及び６’から成るせん断刃対により、ガラス連続体４’が切断され、ガラス塊７’が分離されて、予備成形型１０’へ放出される。ガラス塊７’の分離過程中にガラス連続体４’がせん断刃５’に乗上げるのを避けるため、プランジャ８’が設けられて、運動矢印９’の方向に移動可能である。このプランジャ８’は切断過程中に戻され、即ち運動矢印９’の方向に上方へ動かされて、切断中にガラス連続体４’を戻すので、ガラス連続体４’はせん断刃５’，６’に乗り上げず、従って変形されない。このような装置は構造に費用がかかり、特にせん断刃対の高い切断頻度においてあまり効果的でない。切断頻度は例えば毎分２００切断である。【０００８】  更に複数のガラス連続体４’の複数のガラス塊７’が同時に分離され、並んで位置する予備成形型１０’へ供給される時、不利な効果が現れる。この過程が図５に示されている。この場合右にあるガラス塊７’は、第１のガラス塊としてＣの所で予備成形型１０’に達し、分離切断から予備成形型１０’まで異なる行程長のため、第２のガラス塊７’は、予備成形型１０’（Ｂ）へ到達するまでに一層長い時間を必要とする。最後に図５において左のガラス塊７’は、予備成形型１０’（Ｃ）へ到達するために最長の時間を必要とする。この事実のため、予備成形型１０’（Ｃ）におけるガラス塊７’は、予備成形型１０’（Ａ）に関するガラス塊７’より長い滞在時間を持つ。すべてのガラス塊７’が対応する予備成形型１０’（Ａ〜Ｃ）に到達した時に始めて、予備成形の動作段階が開始可能である。一層長い滞在時間のため、予備成形型１０’（Ｃ）のガラス塊７’は予備成形型１０’（Ｃ）の口工具の一層深い所にあり、予備成形型１０’（Ｃ）の範囲における一層強い加熱も行われる。他方予備成形型１０’（Ｃ）にあるガラス塊７’は、予備成形型１０’（Ａ）の範囲にあるガラス塊より冷たい。これは、めんどうな異なる冷却調節を考慮せねばならないことを意味する。
【発明の開示】
【発明が解決しようとする課題】
【０００９】  最初に示した従来技術から出発して、本発明の基礎になっている課題は、すべてのガラス塊を適当な予備成形型へ装入する時、ガラス塊に関して同じ条件を設定するのを可能にする。最初にあげた種類の装置及び方法を提供することである。
【課題を解決するための手段】
【００１０】  この課題を解決するため、各せん断刃対の各せん断刃が、せん断刃を初期位置から動作位置へ動かしまた初期位置へ戻すための別々の操作器を持ち、せん断刃の操作器用の制御装置が設けられ、この制御装置により、せん断刃対のせん断刃は同時に可動であるが、せん断刃対は異なる時点に可動であり、分離されたガラス塊が予備成形型まで最長の行程を通過するせん断刃対が、最初に操作され、切断されたガラス塊が予備成形型まで最短の行程を通過するせん断刃対が、最後に操作され、従って分離されたすべてのガラス塊がほぼ同時に対応する予備成形型へ装入可能であることが、提案される。【００１１】  この課題を方法により解決するため、ガラス連続体のガラス塊が、異なる長さの行程に相当して、異なる時点にガラス連続体から分離され、従ってこれらのガラス塊が、ほぼ同時に予備成形型に到達し、これらの成形型に装入されることが、提案される。【００１２】  各せん断刃対の各せん断刃が、せん断刃を初期位置から動作位置へ動かしまた初期位置へ戻す別々の操作器を持っていることによって、操作器の適当な制御装置と組合わせて、各ガラス塊が予備成形型の所まで進まねばならない行程に応じて、すべてのガラス塊が同時に対応する予備成形型へ到達するような整合が行われるように、ガラス塊をガラス連続体から順次に分離する可能性が与えられる。こうしてガラス連続体から分離されるすべてのガラス塊が同じ状態にされる。その結果ガラス塊から成形すべきガラス製品は、不変な高い品質で製造される。【００１３】  各せん断刃対の個々のせん断刃の個別駆動により生じる特別な利点は、せん断刃対の一方のせん断刃が他方のせん断刃に対し先行して動かされるか否かに応じて、切断中心が通過するガラス連続体に対して直角な方向に移動可能なことである。これにより、出て行くガラス連続体の垂直な目標位置からの万一の偏差を、切断中心の移動によって補償することができる。【００１４】  装置の好ましい展開によれば、各ガラス塊が分離から予備成形型への装入までに必要とする時間が、制御装置に定数として記憶され、制御装置が適当な時間遅れでせん断刃対の操作器を始動する。【００１５】  更に本発明の対象とする装置では、ガラス連続体が重力の方向即ちＺ方向に供給装置から流出し、せん断刃対のせん断刃の運動が、Ｚ方向に対して直角にＸ方向に行われる。【００１６】  できるだけ精確に同じガラス塊が、長さ、直径及び温度に関して精確に規定されているガラス連続体から分離され、更に安定な滴下による高い切断速度が得られるようにするため、本発明による装置では、Ｘ方向におけるせん断刃の運動にＺ方向の運動が重畳され、従ってせん断刃が、少なくともガラス連続体を切断してガラス塊を形成する行程又は時間にわたって、出発位置からガラス連続体に同期して同じ方向に終了位置へ動かされまた出発位置へ戻される。【００１７】  これを行うための方法によれば、Ｘ方向におけるせん断刃の運動にＺ方向の運動が重畳され、従ってガラス塊を製造するためガラス連続体の分離過程中に、せん断刃が流出するガラス連続体に同期して同じ向きに動かされ、ガラス塊の分離後にせん断刃が、Ｘ方向とは逆に動作位置から初期位置へ動かされ、同��にＺ方向とは逆に終了位置から出発位置へ戻される。【００１８】  この構成及び方法技術により、ガラス塊切断は、ガラス連続体の流れ方向及び流れ速度に同期して続く。これにより切断結果の高い再現可能性及びガラス塊を分離する際の高い反覆精度が得られ、更に安定な滴下による極めて高い切断速度が実現される。その際分離されるガラス塊の形状は一定であり、その温度も均一である。【００１９】  これに関する本発明の展開の基礎になっている考えは、切断過程即ちＸ方向におけるせん断刃の運動がＺ方向におけるせん断刃の重畳される運動と組合わされる時、ガラス塊の変形が回避され、従って少なくとも切断過程中に、せん断刃とＺ方向に流出するガラス連続体との同期が行われることである。ガラス連続体の切断及びガラス塊の個別化後、せん断刃はＸ方向に引込められ、Ｚ方向に開始位置へ戻されるので、せん断刃は次の分離過程のために利用可能である。【００２０】  装置の展開において、せん断刃対の各せん断刃が第１の操作器及び第２の操作器に連結され、第１の操作器によりせん断刃がＸ方向に可動であり、第２の操作器により第１の操作器がせん断刃と共にＺ方向に可動である。【００２１】  更に好ましくは、分離サイクルの始めにまず各せん断刃のＺ方向の運動又は第２の操作器の始動が行われ、続いてＸ方向における各せん断刃の運動又は第１の操作器の始動が行われ、分離切断の行われた後、せん断刃がＸ方向に初期位置へ戻りまたＺ方向に開始位置へ可動であるように、せん断刃対の各せん断刃が動かされるか、又は操作器が制御される。【００２２】  これにより、せん断刃がまず流出するガラス連続体と同じ方向に同じ速度で動かされ、それからガラス塊の分離のためせん断刃がＸ方向に動かされる。この構成は、ガラス塊の均一な成形のために重要である。【００２３】  更に第１の操作器及び第２の操作器がそれぞれ直線操作器として構成されているようにすることができる。【００２４】  更に装置の構造を簡単化するため、すべてのせん断刃対のそれぞれ第１のせん断刃が、Ｘ方向に可動な操作器と共に、第１の架台部分に保持され、すべてのせん断刃対のそれぞれ第２のせん断刃が、Ｘ方向に可動な操作器と共に、第２の架台部分に保持され、第１及び第２の架台部分が、架台に固定的に支持される第２の操作器によりＺ方向に可動な昇降板に結合されている。【００２５】  方法の有利な展開は、各せん断刃対が別々に駆動され、各ガラス塊が分離から予備成形型への装入までに必要とする時間に応じて、操作器が制御されて、すべてのガラス塊が同時に予備成形型へ装入されるようにしていることを、特徴としている。【００２６】  更にＸ方向におけるせん断刃の運動にＺ方向の運動が重畳され、従ってガラス塊を製造するためガラス連続体の分離過程中に、せん断刃が流出するガラス連続体に同期して同じ向きに動かされ、ガラス塊の分離後にせん断刃が、Ｘ方向とは逆に動作位置から初期位置へ動かされ、同時にＺ方向とは逆に終了位置から出発位置へ戻されるようにすることができる。【００２７】  この方法により、均一な形状及び品質のガラス塊を分離することができ、更に安定なガラス塊落下により高い切断速度が得られる。【００２８】  プランジャによ���動作せしめられる今まで普通の装置及び方法では、供給装置からガラス連続体の不連続な流出が必然的な結果である。【００２９】  本発明によれば、ガラス連続体が、供給装置から一定の速度で連続的に放出される。【００３０】  せん断刃が切断過程中に流出するガラス連続体に同期して動かされるので、ガラス連続体がせん断刃に乗り上げることにより変形されることがないので、この方法は特に可能である。【００３１】  更に好ましい方法によれば、分離サイクルの始めに、せん断刃がまず開始位置からＺ方向に動かされ、かつガラス連続体に同期して動かされ、続いて重畳されて初めて初期位置からＸ方向に動作位置へ動かされ、それからガラス塊を製造する分離切断が行われ、その際せん断刃がまずＸ方向とは逆に動作位置から初期位置の方向へ動かされ、続いてＺ方向とは逆に終了位置から開始位置へ戻される。【００３２】  更に各せん断刃対のせん断刃の運動が、Ｘ方向及びＺ方向にそれぞれ同期して行われるのが好ましい。【００３３】  各せん断刃が別々にＸ方向に動かされるのも好ましい。【００３４】  更にすべてのせん断刃が一緒にＺ方向に動かされるのが好ましい。【００３５】  本発明の実施例が図面に示されており、以下に詳細に説明される。
【発明を実施するための最良の形態】
【００３６】  図１には、本発明による装置及び方法が概略的に示されている。【００３７】  供給装置１９には、例えば１，０００℃の温度を持つ溶融ガラス２２が存在する。回転管２０を介して溶融物が供給装置１９に供給される。供給装置１９は、下にガラス連続体１８用の流出口を持っている。６及び７で、下刃及び上刃を持つせん断刃対のせん断刃が示されている。２１で分離すべき又は分離されたガラス塊が示されている。従って溶融ガラスから成る１つ又は複数の連続体１８からガラス塊２１を分離する装置は、重力に対して平行に向く第１の方向即ちＺ方向に溶融ガラスから連続体１８を放出する供給装置１９を持ちかつせん断刃６，７を持つ少なくとも１つのせん断刃対から成っている。Ｚ方向は２３で示されている。各せん断刃対のせん断刃６，７は、図１の左に示されるようにガラス連続体１８がＺ方向２３へせん断刃６，７の間をそれらに接触することなく通過できる初期位置から、図１の中央にある中間位置を経て、図１の右に示す動作位置へ可動であり、この動作位置でガラス連続体１８がガラス塊２１を形成しながら切断される。ガラス塊２１の分離後せん断刃６，７は、再び図１の初期位置へ戻されることができる。せん断刃６，７の運動方向は、Ｚ方向２３に対して直角にＸ方向２４にある。【００３８】  本発明によれば、Ｘ方向２４におけるせん断刃６，７の運動に、運動矢印２５からわかるように、Ｚ方向２３の運動が重畳される。これにより、少なくともせん断刃６，７がガラス塊２１を形成するためガラス連続体１８を切断する行程又は時間にわたって、これらのせん断刃６，７が図１の左の開始位置から図１の中央の中間位置を経て図１の右の終了位置へ動かされ、それから図１の左の開始位置へ動かされるようにすることができる。これにより、別の補助手段なしに、ガラス連続体１８の後続の材料が、図１の中央又は図１の右の状態でせん断刃６，７上に停滞して変形することのないようにすることができる。むしろせん断刃６，７はガラス連続体１８の流れ運動に追従し、その際同時にガラス塊２１を成形する分離切断が行われる。【００３９】  図３及び４には、このような装置の具体的な構成が示されている。ここではそれぞれ３つのせん断刃６（上刃）及び３つのせん断刃７（下刃）が互いに対向して設けられ、かつ適当に移動可能なので、１つの供給装置１９又は複数の供給装置から流出する３つのガラス連続体１８を、ガラス塊２１を分離するため切断することができる。【００４０】  この構成では、せん断刃対の各せん断刃６又は７は操作器８又は９に連結され、この操作器によりせん断刃６又はせん断刃７はＸ方向に可動である。更に第２の操作器５が設けられ、この操作器により第１の操作器８，９がせん断刃６，７と共にＺ方向２３に可動である。操作器８，９及び５により、各せん断刃対のせん断刃６，７は、分離サイクルの始めに従って図１の左の図のように、Ｚ方向２３における運動又は第２の操作器５の始動が行われるように可動なので、せん断刃６，７は互いに平行にかつ流出するガラス連続体１８に同期して動く。それから初めてせん断刃６，７のＸ方向２４における移動が行われ、ガラス塊２１を分離する分離切断が行われる。続いてせん断��６，７は、切断方向とは逆にＸ方向２４に、図４又は図１の左に示す初期位置へ戻され、この運動に、Ｚ方向２３における同時の運動が重畳されるが、せん断刃６，７が戻る際のこのＺ方向２３は、ガラス連続体１８の流出方向とは逆の向きである。【００４１】  第１の操作器８，９及び第２の操作器５は直線操作器として構成されている。特に図４の図からわかるように、各せん断刃対の各せん断刃６，７は、Ｘ方向２４に移動可能な別々の操作器８，９を備えている。これによりせん断刃６，７の個別操作が可能である。すべてのせん断刃対のそれぞれ第１のせん断刃６は、Ｘ方向２４に移動可能な付属の操作器８と共に、第１の架台部分１０に保持されかつ固定されている。すべてのせん断刃対のそれぞれ第２のせん断刃７及びＸ方向２４に移動可能な付属の操作器９は、第２の架台部分１１に取付けられている。第１及び第２の架台部分１０，１１は、架台に固定的に支持される第２の操作器５によりＺ方向２３に移動可能な昇降板４によって互いに結合されている。架台部分１０，１１の外端面には、せん断刃６，７の刃微調節及び切断縁圧力用の調節装置１５が設けられている。伝動棒を介して、せん断刃保持装置にある調節装置１５が刃切断縁圧力の調節を行う。刃保持体１７に結合されているそれぞれの操作器９の押し棒１２を介して、それぞれの調節装置１５が、操作器８又は９から後方へ突出する押し棒１２をねじることにより、せん断刃６，７の切断縁の平行性に関する調節を行う。【００４２】  基板２は、下にある架台板にフランジ１３を介して結合されている。下に設けられる架台板は、昇降装置の形に構成されている第２の操作器５の対向支持体を形成している。そのため第２の操作器５は、ピストン棒１４を介して昇降板４に結合されている動作シリンダから成っている。従って第２の操作器５により、昇降板４は基板２に向かって上方へ又はこれから離れるように下方へ動かされる。昇降板４は、更に基板２及び下にある架台板に取付けられる案内棒３により、その昇降運動を案内され、位置を固定して保持されている。【００４３】  水平面及び垂直面における個々に制御可能な両方の運動パターンは、垂直に下方へ流れるガラス連続体１８に対する同期切断過程を可能にする。これは、Ｘ軸速度及びＺ軸速度から生じて斜め下方へガラス連続体中心又は切断中心へ向く所定の時間的及び空間的運動を各せん断刃６，７が行うことを意味している。【００４４】  図６には、供給装置から流出する３つのガラス連続体１８においてガラス塊２１を個別化する分離切断の時間的順序がどのように生じるかが示されている。この場合図５に示すような状態から出発する。本発明によれば、せん断刃対の各せん断刃６又は７は、初期位置から動作位置へまた逆に初期位置へのせん断刃の運動のため、別々の操作器８，９を設けられている。せん断刃６，７の駆動の適当な制御により、例えば状態Ａ又はＢ又はＣに関してせん断刃対のせん断刃６，７が同時に動かされるが、せん断刃対は状態Ａ，Ｂ及びＣに関して異なる時点に動かされる。分離されるガラス塊２１が（１０’のように）予備成形型に対して最長の行程を通過する状態Ａに関するせん断刃対は、時間的に最初に操作され、中間のせん断刃対のせん断刃は、対応する予備成形型に対し状態Ｂに関するガラス塊の対応する行程で時間的に一層遅く操作され、状態Ｃに関するせん断刃対は最後に操作される。こうしてガラス塊２１を製造する分離切断の時間的順序により、すべての分離されるガラス塊が状態Ａ〜Ｃに関して同時に予備成形型に到達する状態が得られる。この構成により、分離されるガラス塊２１が異なる調整を受け、それがガラス物品の成形及び／又はガラス物品の予備成形にとって不利になることが、回避される。【００４５】  図７には、せん断刃６，７の操作により切断中心２６を移動できることが示されている。せん断刃対の両方のせん断刃６，７が同時に操作される場合、切断中心２６は、ガラス連続体１８が出る流出口の軸線方向に下で中心にある。特定の理由から切断中心の右方又は左方への移動が必要である場合、左のせん断刃６又は右のせん断刃７をそれぞれ他方のせん断刃に対し先行して操作できるので、切断中心２６は右方又は左方へ移動される。【００４６】  本発明は実施例に限定されず、開示の範囲内で可変である。【００４７】  明細書及び／又は図面に開示されている新しいすべての個々の特徴及びその組合わせは、本発明に重要なものとみなされる。
【図面の簡単な説明】
【００４８】
【図１】  本発明による装置及びその操作方法を概略的に示す。
【図２】  従来の装置及びその操作方法を概略的に示す。
【図３】  実施例を正面図で示す。
【図４】  実施例を図３のＡ−Ａ断面で示す。
【図５】  従来の装置の動作を概略図で示す。
【図６】  本発明によるせん断刃の動作を平面図で示す。
【図７】  せん断刃によるせん断中心の移動を平面図で示す。
【符号の説明】
【００４９】  ６，７      せん断刃
８，９      操作器
１０’      予備成形型
１８        ガラス連続体
１９        供給装置
２１        ガラス塊
【図１】
2008050257.tif 000003
【図２】
2008050257.tif 000004
【図３】
2008050257.tif 000005
【図４】
2008050257.tif 000006
【図５】
2008050257.tif 000007
【図６】
2008050257.tif 000008
【図７】
2008050257.tif 000009